(57)【要約】【課題】梱包体の封止された開口部を容易に開封することができるように製造する梱包体の製造方法を提供する。【解決手段】樹脂製の梱包シート１０の所定部位にミシン目（ミシン目開口部１２）を形成させる第１過程と、ティッシュペーパー束１１に、ミシン目開口部１２を形成した部位が上面となるように梱包シート１０を被せて包装する第２過程と、ティシュペーパー束１１を包装した梱包シート１０の接合部１３を固定して箱状または袋状に形成する第３過程とを有し、第１過程は、刃渡り長さが異なる複数の薄刃を備えたカッターを梱包シート１０の所定位置に当接させ、ミシン目開口部１２の延設方向に沿った穴長さが各々異なるミシン目の穴を線状に形成させることを特徴とする。【選択図】図１
2019034769.tif 000002
【特許請求の範囲】
【請求項１】
所定枚数の薄葉紙を束ねた薄葉紙束を梱包する梱包体の製造方法であって、
樹脂製のフィルムシートの所定部位にミシン目を形成させる第１過程と、
前記薄葉紙束に、前記ミシン目を形成した部位が上面となるように前記フィルムシートを被せて包装する第２過程と、
前記薄葉紙束を包装したフィルムシートの端部を固定して箱状または袋状に形成する第３過程と、
を有し、
前記第１過程は、
刃渡り長さが異なる複数の薄刃を備えたカッターを前記フィルムシートの所定位置に当接させ、前記ミシン目の延設方向に沿った穴長さが各々異なる前記ミシン目の穴を線状に形成させる、
ことを特徴とする梱包体の製造方法。
【請求項２】
前記第１過程は、
刃渡り長さが徐々に変化するように前記複数の薄刃を並べたカッターを用いて、前記線状の中央部分で最も穴長さが長くなり、前記線状の各端部へ向かって徐々に穴長さが短くなる前記ミシン目の穴を形成させる、
ことを特徴とする請求項１に記載の梱包体の製造方法。
【請求項３】
前記第１過程は、
前記線状の中央部分で穴長さが最も長いミシン目穴は、１本の指先が入る程度の長さである、
ことを特徴とする請求項２に記載の梱包体の製造方法。
【請求項４】
前記第１過程は、
回転駆動手段によって回転する支持部材の外周部位に前記複数の薄刃を並べたカッターを、前記フィルムシートの所定位置に当接させて前記回転駆動手段を稼働し、前記ミシン目の穴を形成させる、
ことを特徴とする請求項１から３のいずれか１項に記載の梱包体の製造方法。
【請求項５】
前記第５過程は、
昇降手段によって昇降する支持部材の下端に前記複数の薄刃を並べたカッターを、前記フィルムシートの所定位置に前記昇降手段を用いて当接させ、前記ミシン目の穴を形成させる、
ことを特徴とする請求項１から３のいずれか１項に記載の梱包体の製造方法。
【発明の詳細な説明】
【技術分野】
【０００１】
本発明は、フィルムシートを用いてティッシュペーパー等を梱包する梱包体の製造方法に関するものである。
【背景技術】
【０００２】
ティッシュペーパーを梱包するとき、厚紙を用いて数百枚のティッシュペーパーを収納できる大きさの包装箱を製造し、これに当該ティッシュペーパーを束状に折り重ねて収納していた。
ティッシュペーパーを数百枚単位で束ねた場合には、相当の強度が生じることから、上記の厚紙に代えて樹脂製のフィルムシートを用いて包装した、いわゆるピロー包装を施したものがある。
【０００３】
ティッシュペーパーのピロー梱包体は、包装されたティシュペーパーを使い切った後に、厚紙製の箱ごみが生じないようにしたもので、厚紙製の包装箱と概ね同様な大きさに形成されており、内包されているティッシュペーパーを取り出す開口部も、上記の包装箱と概ね同様な位置に設けられている。
【０００４】
ピロー梱包体の開口部は、当該梱包体を製造するとき、例えば、フィルムシートの表面にミシン目の穴（等長、等間隔の穴）を設ける加工が施され、工場出荷時等において当該開口部は封止されている。
また、使用者がティッシュペーパーを使用するとき、線状のミシン目を手で開封し、梱包体からティッシュペーパーを１枚、あるいは２枚１組ずつ取り出すことができるように構成されている（例えば、特許文献１参照）。
【０００５】
また、樹脂製のフィルムシートを用いたピロー梱包体には、当該ピロー梱包体の上面に蓋フラップを設置し、蓋フラップを持ち上げることにより、ミシン目に沿って取出口を開けるように構成したものがある（例えば、特許文献２参照）。
【先行技術文献】
【特許文献】
【０００６】
【特許文献１】特開２００５−８８９７０号公報
【特許文献２】特許第６０４４４４２号公報
【発明の概要】
【発明が解決しようとする課題】
【０００７】
従来の樹脂製フィルムシートを用いた梱包体は、上記のように構成されているので、封止された開口部を手で開封するとき、力を加えた開口部周辺において、フィルムシートに延びなどが生じることがあり、開口部周辺を強く押さえながらミシン目に沿って開口する力を加えなければならないという問題点があった。
また、開封を容易にするため、蓋フラップ等を樹脂製フィルムシートを用いた梱包体に設置した場合、当該フィルムシートと蓋フラップとを接合するための工数が増加し、製造コストが上昇して生産販売を実際に行うことが難しくなるという問題点があった。
【０００８】
本発明は、上記の問題点に鑑みなされたもので、梱包体の封止された開口部を容易に開封することができるように製造する梱包体の製造方法を提供することを目的とする。
【課題を解決するための手段】
【０００９】
本発明に係る梱包体の製造方法は、所定枚数の薄葉紙を束ねた薄葉紙束を梱包する梱包体の製造方法であって、樹脂製のフィルムシートの所定部位にミシン目を形成させる第１過程と、前記薄葉紙束に、前記ミシン目を形成した部位が上面となるように前記フィルムシートを被せて包装する第２過程と、前記薄葉紙束を包装したフィルムシートの端部を固定して箱状または袋状に形成する第３過程と、を有し、前記第１過程は、刃渡り長さが異なる複数の薄刃を備えたカッターを前記フィルムシートの所定位置に当接させ、前記ミシン目の延設方向に沿った穴長さが各々異なる前記ミシン目の穴を線状に形成させることを特徴とする。
【００１０】
また、前記第１過程は、刃渡り長さが徐々に変化するように前記複数の薄刃を並べたカッターを用いて、前記線状の中央部分で最も穴長さが長くなり、前記線状の各端部へ向かって徐々に穴長さが短くなる前記ミシン目の穴を形成させることを特徴とする。
【００１１】
また、前記第１過程は、前記線状の中央部分で穴長さが最も長いミシン目穴は、１本の指先が入る程度の長さであることを特徴とする。
【００１２】
また、前記第１過程は、回転駆動手段によって回転する支持部材の外周部位に前記複数の薄刃を並べたカッターを、前記フィルムシートの所定位置に当接させて前記回転駆動手段を稼働し、前記ミシン目の穴を形成させることを特徴とする。
【００１３】
また、前記第５過程は、昇降手段によって昇降する支持部材の下端に前記複数の薄刃を並べたカッターを、前記フィルムシートの所定位置に前記昇降手段を用いて当接させ、前記ミシン目の穴を形成させることを特徴とする。
【発明の効果】
【００１４】
本発明によれば、比較的大きな梱包体を樹脂製のフィルムシートを用いて形成した場合に、容易に開封可能な開口部を、コストを抑えて設けることができる。
【図面の簡単な説明】
【００１５】
【図１】本発明の実施例１による梱包体の製造方法を用いて製造した梱包体の斜視図である。
【図２】実施例１による梱包体の製造方法を示す説明図である。
【図３】実施例２による梱包体の製造方法を示す説明図である。
【発明を実施するための形態】
【００１６】
以下、この発明の実施の一形態を図面に基いて説明する。
（実施例１）
図１は、本発明の実施例１による梱包体の製造方法を用いて製造した梱包体の斜視図である。図示した梱包体１は、薄葉紙の例えばティッシュペーパーを２枚重ね１組とし、これをそれぞれ２つ折りにして、１００組以上束ねたティッシュペーパー束１１を梱包している。
梱包体１は、厚みの薄い樹脂製の梱包シート１０を用いてティッシュペーパー束１１を梱包しており、一般的なポケットティッシュよりも大きく、また、厚紙製のティッシュペーパー用梱包箱と概ね同様な大きさに形成されている。具体的には、長さ約２１［ｃｍ］、幅約１１．５［ｃｍ］、高さ約４．５［ｃｍ］程度の大きさに形成されている。
【００１７】
梱包体１の上面には、使用者等がティシュペーパーを使用するときに開封するミシン目開口部１２が形成されている。ミシン目開口部１２は、梱包体１の長手方向に沿って、直線状に複数のミシン目穴を並べて配置したもので、例えば、ミシン目穴を開封したときの開口長さが約１６［ｃｍ］となるように設けられている。また、これらミシン目穴は、直線状の中央部分に配置されたものの穴長さが最も長く形成されており、当該直線状の各端部へ向かって徐々に穴長さが短くなるように形成されている。
なお、各ミシン目穴の間隔は同一で、ミシン目開口部１２の延設方向に沿った穴長さが、各々のミシン目穴で異なるように形成されている。
また、直線状の中央部分に設けられた穴長さの最も長いミシン目穴は、例えば、ミシン目開口部１２を開封する前の状態において、人差し指１本の指先を入れることができる程度の長さを有している。
【００１８】
梱包シート１０は、前述のように樹脂製のフィルムシート材であり、位置合わせ等を行ってティシュペーパー束１１を包み込み、例えば、複数の接合部１３において溶着などの接着加工を施し、また、この接着部分が他の部分よりも突き出ないように折りたたむなどの整形を施して、箱状または袋状に形成されている。
ティッシュペーパー束１１を梱包するときには、上面となる部位にミシン目開口部１２が配置され、また、接合部１３が梱包体１の側面部、底面部等（図示省略）に配置されるように、ティッシュペーパー束１１に対する梱包シート１０の位置決めを行って包装している。
【００１９】
図２は、実施例１による梱包体の製造方法を示す説明図である。図２（ａ）は、梱包シート１０に各ミシン目穴を設ける製造装置を側方視したときの、当該製造装置に備えられるカッター２０や梱包シート１０の概略配置関係を示している。図２（ｂ）は、梱包シート１０の一部分を上方視したもので、図２（ａ）に示した製造装置によって梱包シート１０に設けられたミシン目開口部１２（各ミシン目穴）を示している。
図１に示した梱包体１は、図示を省略した製造装置により、例えば、２枚重ねのティッシュペーパーを２つ折りにし、これを２００組束ねてティッシュペーパー束１１を製造する。
一方、任意の樹脂製フィルムシートを所定大きさ（ならびに所定形状）にカットして梱包シート１０を製造し、これを例えば面一状態として固定し、後にティッシュペーパー束１１を包装したとき上面となる部位に、ミシン目開口部１２を形成する。実施例１の梱包体の製造方法においては、図２（ａ）に示したカッター２０を用いてミシン目開口部１２を形成する。
【００２０】
カッター２０は、円盤状もしくは円柱状の支持部材２２の外周部分に、薄刃の切込刃２１が複数個並べて設置固定されている。ここで、上記の外周部分に沿って並べられた切込刃２１は、それぞれ刃渡りの長さが異なり、これらの刃先部分が直線状となるように設置固定されている。
また、カッター２０の切込刃２１は、刃渡り長さが徐々に変化するように並べられており、各切込刃２１が梱包シート１０に当接することによって、当該梱包シート１０に形成される切込部分、即ち、ミシン目開口部１２は、図２（ｂ）に示したように形成される。
【００２１】
ミシン目開口部１２に設けられているミシン目穴は、前述のように各ミシン目穴の間隔は同一で、ミシン目開口部１２の延設方向に沿った穴長さが異なっている。即ち、カッター２０は、円周方向において、各切込刃２１の間隔が同一となるように、また、各切込刃２１の刃高が同一となるように構成されている。なお、各切込刃２１は、各々の刃先をカッター２０の法線方向に向けて支持部材２２に固定されている。
また、カッター２０は、円周状に配置された各切込刃２１のうち、隣り合う始端切込刃２１Ｓ及び終端切込刃２１Ｅが最も刃渡りが短く、これらから離れた位置に配置されたものほど刃渡りが長くなり、例えば、支持部材２２の円状中心点を基点として、始端切込刃２１Ｓおよび終端切込刃２１Ｅと対向する位置に配置された切込刃２１が、最も刃渡りが長く構成されている。
【００２２】
カッター２０を用いてミシン目開口部１２を形成するときには、初めに梱包シート１０を平坦な状態として固定し、例えば、カッター２０を上方から下降させて、梱包シート１０の所定位置に、カッター２０の始端切込刃２１Ｓを当接させる。
この状態で、回転駆動手段３０を稼働させ、図２（ａ）の矢印Ａが示す方向にカッター２０を回転させる。
上記のカッター２０の回転により、始端切込刃２１Ｓから、順次、隣に配置された切込刃２１が梱包シート１０に当接し、当該回転と同期させてカッター２０を図２（ａ）の矢印Ｂが示す方向へ移動させる。
上記の回転により、終端切込刃２１Ｅが梱包シート１０に当接すると、矢印Ａの方向への回転、ならびに矢印Ｂの方向への移動を停止し、カッター２０を上方へ上昇させ、梱包シート１０から引き離す。
【００２３】
上述のようにカッター２０を回転させ、また、移動させることにより、図２（ｂ）に示すミシン目開口部１２（ミシン目の各穴）が形成される。始端切込刃２１Ｓが当接した部位には始端ミシン目穴１２Ｓが形成され、カッター２０の回転ならびに移動により、各ミシン目穴が形成され、終端切込刃２１Ｅが当接した部位に終端ミシン目穴１２Ｅが形成される。
前述のように、カッター２０が梱包シート１０の表面上を回転しながら移動することによって、直線状の各ミシン目穴が形成され、始端ミシン目穴１２Ｓおよび終端ミシン目穴１２Ｅは、ミシン目開口部１２のミシン目穴のなかで最も穴長さが短く形成されたものである。また、他のミシン目開口部１２の各ミシン目穴は、始端ミシン目穴１２Ｓから離れるほど、また、終端ミシン目穴１２Ｅから離れるほど、穴長さが徐々に長くなり、ミシン目開口部１２の中央部において最も穴長さが長くなるように形成される。
【００２４】
梱包シート１０に、カッター２０を用いてミシン目開口部１２を形成させた後、当該梱包シート１０を、前述のティッシュペーパー束１１に覆い被せ、当該梱包シート１０の各端部を移動させてティッシュペーパー束１１を梱包する。
この後、梱包シート１０の各端部（図１に示した接合部１３）を前述のように接着固定して所定形状に整形し、例えば略箱状の梱包体１を形成させる。
【００２５】
（実施例２）
図３は、実施例２による梱包体の製造方法を示す説明図である。図３（ａ）は、梱包シート１０に各ミシン目穴を設ける製造装置を側方視したときの、当該製造装置に備えられるカッター４０や梱包シート１０の概略配置関係を示している。図３（ｂ）は、梱包シート１０の一部分を上方視したもので、図３（ａ）に示した製造装置によって梱包シート１０に設けられたミシン目開口部１２（各ミシン目穴）を示している。
実施例２の製造方法を用いて梱包体１を製造するとき、初めに、実施例１と同様に、例えば、２枚重ねのティッシュペーパーを２つ折りにし、これを２００組束ねてティッシュペーパー束１１を製造する。
また、実施例１と同様に、任意の樹脂製フィルムシートを所定大きさ（ならびに所定形状）にカットして梱包シート１０を製造する。
上記の梱包シート１０を図３（ａ）に示したように、面一状態として固定し、昇降手段６０を稼働させて、図中矢印Ｃが示す方向にカッター４０を下降させ、梱包シート１０の所定位置にカッター４０の各切込刃４１を上方から押し当て、後にティッシュペーパー束１１を包装したとき上面となる部位に、ミシン目開口部１２を形成する。
【００２６】
ここで、カッター４０は、支持部材４２の下端部位に、下方へ突出する複数の切込刃４１を備えている。薄刃の各切込刃４１は、刃渡り方向を揃えるとともに、等間隔を空けて直線状に並んで固定されている。
支持部材４２に設置された各切込刃４１は、刃先を下方へ向けて、また、刃先の高さを揃えて固定されている。
直線状に並べられた切込刃４１は、当該直線状の一端に配置された端部切込刃４１Ｓ、および、他端に配置された端部切込刃４１Ｅの各刃渡りが最も短く形成されている。また、直線状に配置された各切込刃４１は、直線状の端部に配置されたものから中央部に配置されたものへ近付くにつれて、各々の刃渡りが徐々に長く形成され、直線状の中央部に配置されたものが最も長い刃渡りを有するように形成されている。
【００２７】
前述のように所定形状に形成した梱包シート１０を、平坦な状態として固定し、昇降手段６０を稼働してカッター４０を下降させ、直線状に並んだ全ての切込刃４１を梱包シート１０の所定位置に当接させる。切込刃４１を押し当てることにより、梱包シート１０に切込が入り、図３（ｂ）に示したミシン目開口部１２（直線状に並んだ各ミシン目穴）が形成される。
カッター４０を下降させたとき、端部切込刃４１Ｓが当接した部位に端部ミシン目穴５２Ｓが形成され、端部切込刃４１Ｅが当接した部位に端部ミシン目穴５２Ｅが形成される。また、端部切込刃４１Ｓと端部切込刃４１Ｅとの間に配置された各切込刃４１によって、端部ミシン目穴５２Ｓと端部ミシン目穴５２Ｅとの間に配置された各ミシン目穴が形成される。
【００２８】
ミシン目開口部１２に形成されたミシン目のなかでは、端部ミシン目穴５２Ｓ，５２Ｅが最も穴長さが短く形成されている。また、他のミシン目穴は、端部ミシン目穴５２Ｓ，５２Ｅの各隣に配置されたものから、ミシン目開口部１２の延設方向中央に配置されたものにかけて、徐々に穴長さが長く形成され、上記のミシン目開口部１２の中央に配置されたミシン目穴が最も長い穴長さに形成されている。
なお、カッター４０によって形成されるミシン目開口部１２の直線状に並んだ各ミシン目穴は、前述のカッター２０によって形成されたものと同様な大きさ（穴長さ）を有し、また、同様な間隔をもって形成されている。
【００２９】
梱包シート１０に、カッター４０を用いてミシン目開口部１２を形成させた後、当該梱包シート１０を、前述のティッシュペーパー束１１に覆い被せ、当該梱包シート１０の各端部を移動させてティッシュペーパー束１１を梱包する。
この後、梱包シート１０の各端部（図１に示した接合部１３）を実施例１で説明したように接着固定して所定形状に整形し、例えば略箱状の梱包体１を形成させる。
【００３０】
実施例１および実施例２で説明したように、ミシン目開口部１２の両端に配置されるミシン目穴を短く形成し、中央に配置されるミシン目穴を長く形成したので、ミシン目開口部１２を開封する際に、大きな力を加えて梱包体１を押さえていなくとも、ミシン目に沿って容易に開封することが可能になる。
【００３１】
また、上記のように、ミシン目開口部１２の端部においてミシン目穴を短く、また中央においてミシン目穴を長く形成することにより、容易に開封することが可能になることから、隣り合うミシン目穴の間隔を適度に設け、ミシン目穴とミシン目穴の間の部分に適当な強度を備えるように構成することも可能になり、不意に上記のミシン目穴間が破れて開封されてしまうことを抑制し、内包された薄葉紙（ティッシュペーパーなど）を保護して汚れの付着や損傷を有効に防ぐことができる。
【００３２】
また、ミシン目開口部１２の両端に配置されるミシン目穴を短く、中央に配置されるミシン目穴を長く形成するとき、各ミシン目穴長さに応じた刃渡りの各切込刃２１を備えたカッター２１、または、各ミシン目穴長さに応じた刃渡りの各切込刃４１を備えたカッター４０を用いているので、開封を容易にした構成の梱包体１を比較的安価に、コストを抑制して製造することができる。
【符号の説明】
【００３３】
１梱包体
１０梱包シート
１１ティッシュペーパー束
１２ミシン目開口部
１２Ｅ終端ミシン目穴
１２Ｓ始端ミシン目穴
１３接合部
２０，４０カッター
２１，４１切込刃
２１Ｅ終端切込刃
２１Ｓ始端切込刃
２２，４２支持部材
３０回転駆動部
４１Ｅ，４１Ｓ端部切込刃
５２Ｅ，５２Ｓ端部ミシン目穴
６０昇降手段
【図１】
2019034769.tif 000003
【図２】
2019034769.tif 000004
【図３】
2019034769.tif 000005